(57)【特許請求の範囲】
【請求項１】
ＬＥＤモジュールと遠隔制御用交流電源との間に配置されて該ＬＥＤモジュールの点灯状態を制御するための点灯制御回路を備えたLED点灯用電源と、該LED点灯用電源の点灯制御回路へ点灯状態指示信号を出力する制御信号判定回路部と、前記遠隔制御用交流電源からの電圧信号の供給及び遮断を行うためにON−OFFするための複数のスイッチ手段と、該複数のスイッチ手段と制御信号判定回路部の間に配置されて遠隔制御用交流電源の電圧信号を前記制御信号判定回路部へ引き込むための５０ｍ以上の長さを有する多芯ケーブルと、を備え、
前記制御信号判定回路部は、入力される電圧信号と予め設定されている閾値とに基づいて前記各スイッチ手段がＯＮ状態又はＯＦＦ状態であるかを判定する判定回路と、該判定回路からの判定信号に基づいて前記LED点灯用電源の点灯制御回路に点灯状態を指示するための点灯状態指示出力回路とを備えているＬＥＤ点灯用電源の遠隔制御装置であって、
前記多芯ケーブルの芯線間に存在する浮遊容量により発生する浮遊電圧が前記閾値を超えることがないように該浮遊容量を直流充電するための整流ダイオードを、前記制御信号判定回路部の入力部に備えたことを特徴とするＬＥＤ点灯用電源の遠隔制御装置。
【請求項２】
前記整流ダイオードに直列に、電流制限抵抗を備え、スイッチ手段がＯＮした際の短絡電流を制限することを特徴とする請求項１に記載のＬＥＤ点灯用電源の遠隔制御装置。
【請求項３】
前記閾値が予め設定される電圧値であり、その電圧値を０Ｖに設定し、前記浮遊電圧が０Ｖとなるように、前記浮遊容量を前記整流ダイオードが直流充電することを特徴とする請求項１又は２に記載のＬＥＤ点灯用電源の遠隔制御装置。
【請求項４】
前記直流充電された浮遊容量を放電させる放電抵抗を更に備え、前記浮遊電圧が前記閾値を超えないように、前記放電抵抗の抵抗値と前記電流制限抵抗の抵抗値とを設定していることを特徴とする請求項２に記載のＬＥＤ点灯用電源の遠隔制御装置。
【発明の詳細な説明】
【技術分野】
【０００１】
本発明は、例えば高速道路や一般道路の路肩、あるいはトンネル内の壁等の屋外に設置されて路面等を照らすＬＥＤモジュールの点灯状態を遠隔より制御するために、ＬＥＤモジュールに電力を供給しているＬＥＤ点灯用電源を遠隔より制御する遠隔制御装置に関する。
【背景技術】
【０００２】
上記ＬＥＤモジュールは、消費電力に有利で、しかも長寿命であることから、従来から設置されているナトリウムランプ、水銀灯、蛍光灯等の各種の照明モジュールに代えて用いられるようになってきている。特に、トンネル内に設けられる照明モジュールの場合には、点灯させる時間が多いことから、上記ＬＥＤモジュールが注目されている。そして、このＬＥＤモジュールにＬＥＤ点灯用電源が供給する電力を遠隔から制御するための遠隔制御装置は、従来から設置されている構成のものを利用している。
【０００３】
上記ＬＥＤ点灯用電源の遠隔制御装置は、具体的には、ＬＥＤモジュールと遠隔制御用交流電源との間に配置されてＬＥＤモジュールの点灯状態を制御するための点灯制御回路を備えたＬＥＤ点灯用電源と、ＬＥＤ点灯用電源の点灯制御回路へ点灯状態指示信号を出力する制御信号判定回路部と、遠隔制御用交流電源からの電圧信号の接続及び遮断を行うためにＯＮ−ＯＦＦするための複数のスイッチ手段と、複数のスイッチ手段と制御信号判定回路部の間に配置されて遠隔制御用交流電源の電圧信号を制御信号判定回路部へ引き込むための５０m以上の長さを有する多芯ケーブルとを備え、制御信号判定回路部は、入力される電圧信号と予め設定されている閾値とに基づいて前記各スイッチ手段がＯＮ状態又はＯＦＦ状態であるかを判定する判定回路と、判定回路からの判定信号に基づいてＬＥＤ点灯用電源の点灯制御回路に点灯状態を指示するための点灯状態指示出力回路とを備えて構成されている。
【０００４】
上記ＬＥＤモジュールが取り付けられるトンネルは、市街地から遠く離れた山間部に設けられる場合が多い。このため、トンネル内に取り付けられるＬＥＤモジュールの点灯状態を遠隔より制御するためには、ＬＥＤモジュールから遠く離れて設置された遠隔制御用交流電源からの電圧信号をトンネルを経由してＬＥＤモジュールまで引き込むための多芯ケーブルを少なくとも５０ｍ以上の長いものを用いなければならない。このような５０ｍ以上の長さの多芯ケーブルを設置すると、図１１（ａ）に示すように、多芯ケーブルａ，ｂ，ｃの芯線ａ，ｂ間、芯線ｂ，ｃ間、芯線ａ，ｃ間に浮遊容量Ｃ１，Ｃ１，Ｃ１が存在している。その結果、一方のスイッチ手段（例えば、図１（a）のS１）がON状態のとき、他方のスイッチ手段（例えば、図１（a）のS２）がOFFであるにもかかわらず、後者スイッチ手段から引き込まれる多芯ケーブルの芯線b,c間に浮遊容量による浮遊電圧が発生してしまう。このため、制御信号判定回路部の入力部に、前記浮遊電圧、つまりＬＥＤモジュールの点灯状態を制御する際に無視できない大きさの意図しない電圧（図１１（ｂ）に示すように、入力交流電圧の最大電圧値である約２８２Ｖに対してそのほぼ半分の１４１Ｖ）が常に加わった状態になっている。この浮遊電圧を考慮していない状態では、浮遊電圧が閾値よりも高くなることがある。そのため、スイッチ手段がＯＦＦ状態であっても、判定回路がＯＮ状態であると誤判定してしまうことがあった。
【０００５】
そこで、制御信号判定回路部の入力部に閾値を超える浮遊電圧が加わることがないようにブリーダー抵抗（無駄な電力を消費させるための抵抗）を設けて、浮遊電圧が低下するようにしている（例えば、特許文献１参照）。尚、ブリーダー抵抗を用いないで閾値を高くすることも考えられるが、図１１（ｂ）に示すように、１４０Ｖ〜２８２Ｖまでの狭い範囲に交流電源の電圧変動も考慮した閾値を設定しておかなければならない。このように狭い範囲の閾値では、判定精度の高い判定回路を設けなければ、誤判定をしてしまうため、ブリーダー抵抗により制御信号判定回路部の入力部の電圧を低い値に降下せざるを得なかった。
【先行技術文献】
【特許文献】
【０００６】
【特許文献１】特開平７−２９５５０１号公報（図１参照）
【発明の概要】
【発明が解決しようとする課題】
【０００７】
しかしながら、特許文献１のブリーダー抵抗を既存の設備の交流回路のままで用いると、プラス電圧とマイナス電圧とが交互に供給されている間中、常にブリーダー抵抗による無駄な電力消費がなされ、大きな電力損失を招いていた。
【０００８】
本発明が前述の状況に鑑み、解決しようとするところは、無駄な電力消費を抑制しながら、判定回路が誤判定することがないＬＥＤ点灯用電源の遠隔制御装置を提供するものである。
【課題を解決するための手段】
【０００９】
本発明のＬＥＤ点灯用電源の遠隔制御装置は、前述の課題解決のために、
ＬＥＤモジュールと遠隔制御用交流電源との間に配置されて該ＬＥＤモジュールの点灯状態を制御するための点灯制御回路を備えたLED点灯用電源と、該LED点灯用電源の点灯制御回路へ点灯状態指示信号を出力する制御信号判定回路部と、前記遠隔制御用交流電源からの電圧信号の供給及び遮断を行うためにON−OFFするための複数のスイッチ手段と、該複数のスイッチ手段と制御信号判定回路部の間に配置されて遠隔制御用交流電源の電圧信号を前記制御信号判定回路部へ引き込むための５０ｍ以上の長さを有する多芯ケーブルと、を備え、前記制御信号判定回路部は、入力される電圧信号と予め設定されている閾値とに基づいて前記各スイッチ手段がＯＮ状態又はＯＦＦ状態であるかを判定する判定回路と、該判定回路からの判定信号に基づいて前記LED点灯用電源の点灯制御回路に点灯状態を指示するための点灯状態指示出力回路とを備えているＬＥＤ点灯用電源の遠隔制御装置であって、前記多芯ケーブルの芯線間に存在する浮遊容量により発生する浮遊電圧が前記閾値を超えることがないように該浮遊容量を直流充電するための整流ダイオードを、前記制御信号判定回路部の入力部に備えたことを特徴としている。
【００１０】
上記のように、多芯ケーブルの芯線間に存在する浮遊容量を直流充電するための整流ダイオードを備えることによって、浮遊容量により発生する浮遊電圧が閾値を超えることを抑制することができる。これにより、判定回路が各スイッチ手段のＯＮ状態又はＯＦＦ状態を誤判定することがない。また、整流ダイオードによって浮遊容量が直流充電されると、それ以上の電流の流れが発生することがなく、継続的な余分な電力消費を無くすことができる。
【００１１】
また、本発明のＬＥＤ点灯用電源の遠隔制御装置は、前記整流ダイオードに直列に、電流制限抵抗を備え、スイッチ手段がＯＮした際の短絡電流を制限することが好ましい。
【００１２】
上記のように、短絡電流を制限する電流制限抵抗を備えることによって、スイッチ手段がＯＮして導通状態となった閉回路が短絡状態になることがなく、回路に備える電子素子（例えばダイオード）の損傷を回避することができる。
【００１３】
また、本発明のＬＥＤ点灯用電源の遠隔制御装置は、前記閾値が予め設定される電圧値であり、その電圧値を０Ｖに設定し、前記浮遊電圧が０Ｖとなるように、前記浮遊容量を前記整流ダイオードが直流充電することが好ましい。
【００１４】
上記のように、閾値が０Ｖに設定されていれば、判定回路が０Ｖを超える電圧が発生しているかどうかを判定するだけでスイッチ手段のＯＮ−ＯＦＦを的確に判定することができ、高精度の判定回路を不要にし、コスト面において有利な判定回路を用いることができる。
【００１５】
また、本発明のＬＥＤ点灯用電源の遠隔制御装置は、前記直流充電された浮遊容量を放電させる放電抵抗を更に備え、前記浮遊電圧が前記閾値を超えないように、前記放電抵抗の抵抗値と前記電流制限抵抗の抵抗値とを設定している構成であってもよい。
【００１６】
上記構成によれば、放電抵抗を備えることによって、直流充電された浮遊容量の所定量を放電させることができる。また、浮遊電圧が閾値を超えないように、放電抵抗の抵抗値と電流制限抵抗の抵抗値とを設定することによって、判定回路が各スイッチ手段のＯＮ状態又はＯＦＦ状態を誤判定することがない。
【発明の効果】
【００１７】
本発明によれば、多芯ケーブルの芯線間に存在する浮遊容量を直流充電するための整流ダイオードを備えることによって、無駄な電力消費を抑制しながら、判定回路が誤判定することがないＬＥＤ点灯用電源の遠隔制御装置を提供することができる。
【図面の簡単な説明】
【００１８】
【図１】（ａ）は本発明のＬＥＤ点灯用電源の遠隔制御装置を示す概略図、（ｂ）は本発明のＬＥＤ点灯用電源の遠隔制御装置における交流電源から３芯ケーブルまでを示し、３芯ケーブルに発生する浮遊容量を回路で示した図である。
【図２】（ａ）は、遠隔制御用交流電源から制御信号判定回路部の入力部までを示す第一実施形態を示す回路図、（ｂ）は、図２（ａ）の回路図において制御信号判定回路部の入力部に発生する電圧波形を示すグラフである。
【図３】（ａ）は、遠隔制御用交流電源から制御信号判定回路部の入力部までを示す第二実施形態を示す回路図、（ｂ）は、図３（ａ）の回路図において制御信号判定回路部の入力部に発生する電圧波形を示すグラフである。
【図４】（ａ）は、遠隔制御用交流電源から制御信号判定回路部の入力部までを示す第三実施形態を示す回路図、（ｂ）は、図４（ａ）の回路図において制御信号判定回路部の入力部に発生する電圧波形を示すグラフである。
【図５】（ａ）は、遠隔制御用交流電源から制御信号判定回路部の入力部までを示す第四実施形態を示す回路図、（ｂ）は、図５（ａ）の回路図において制御信号判定回路部の入力部に発生する電圧波形を示すグラフである。
【図６】（ａ），（ｂ），（ｃ）は制御信号判定回路部の他の構成を示す回路図である。
【図７】（ａ）は、４芯ケーブルの断面図、（ｂ）は、遠隔制御用交流電源から４芯ケーブルまでを示し、４芯ケーブルに発生する浮遊容量を回路で示した図、（ｃ）は、（ｂ）の回路図においてスイッチＳ１がＯＮ状態の時のｂ−ｄ間に現れる浮遊電圧を示すグラフである。
【図８】（ａ）は、遠隔制御用交流電源から４芯ケーブルまでを示し、４芯ケーブルに発生する浮遊容量を回路で示した図、（ｂ）は、（ａ）の回路図においてスイッチＳ２がＯＮ状態の時のｃ−ｄ間に現れる浮遊電圧を示すグラフである。
【図９】（ａ）は、遠隔制御用交流電源から４芯ケーブルまでを示し、４芯ケーブルに発生する浮遊容量を回路で示した図、（ｂ）は、（ａ）の回路図においてスイッチＳ１とＳ２とが共にＯＮ状態の時のｃ−ｄ間に現れる浮遊電圧を示すグラフである。
【図１０】（ａ）は、遠隔制御用交流電源から４芯ケーブルまでを示し、４芯ケーブルに発生する浮遊容量を回路で示した図、（ｂ）は、（ａ）の回路図においてスイッチＳ１とＳ３とが共にＯＮ状態の時のｂ−ｄ間に現れる浮遊電圧を示すグラフである。
【図１１】（ａ）は、３芯ケーブルの断面図、（ｂ）は、２つのスイッチのうちの一方のスイッチがＯＮ状態の時のｂ−ｃ間に現れる浮遊電圧Ｖ１を示すグラフである。
【発明を実施するための形態】
【００１９】
図１（ａ）に、本発明のＬＥＤ点灯用電源の遠隔制御装置の概略図を示している。図１（ｂ）は、３芯ケーブルの芯線ａ，ｂ間、芯線ｂ，ｃ間、芯線ａ，ｃ間に発生する浮遊容量Ｃ１，Ｃ１，Ｃ１を回路で表した図である。このＬＥＤ点灯用電源の遠隔制御装置１は、例えば高速道路や一般道路の路肩、あるいはトンネル内の壁に設置されて路面等を照らすＬＥＤモジュール２に電力を供給するＬＥＤ点灯用電源９を遠隔で制御するための装置である。
【００２０】
＜第一実施形態＞
具体的には、遠隔制御装置１は、ＬＥＤモジュール２と遠隔制御用交流電源３との間に配置されてＬＥＤモジュール２の点灯状態を制御するための点灯制御回路１０を備えたＬＥＤ点灯用電源９と、ＬＥＤ点灯用電源９の点灯制御回路１０へ点灯状態指示信号を出力する制御信号判定回路部４と、遠隔制御用交流電源３からの電力の接続及び遮断を行うためにＯＮ−ＯＦＦするためのスイッチ手段としての複数（２個）のスイッチ手段Ｓ１，Ｓ２と、スイッチ手段Ｓ１，Ｓ２と制御信号判定回路部４の間に配置されて遠隔制御用交流電源３の電圧信号を制御信号判定回路部４へ引き込むための５０ｍ以上の長さを有する多芯ケーブル（３芯ケーブル）５を備えている。ＬＥＤモジュール２の点灯状態を制御するとは、スイッチ手段Ｓ１，Ｓ２のＯＮ−ＯＦＦの組み合わせにより単一のＬＥＤモジュール２に流す電流を多段階に調節する、又はＬＥＤモジュール２に流す電流をＬＥＤモジュール２毎に調節することによって、トンネル内のＬＥＤモジュール２の照度を時間帯及び設置位置に応じて変更することである。
【００２１】
前記制御信号判定回路部４は、各スイッチ手段Ｓ１，Ｓ２からの交流電力と予め設定されている閾値とに基づいて各スイッチ手段Ｓ１，Ｓ２がＯＮ状態又はＯＦＦ状態であるかを判定する２個の判定回路６，７と、これら判定回路６，７からの判定信号に基づいてＬＥＤ点灯用電源９の点灯制御回路１０に点灯状態を指示するための点灯状態指示出力回路８とを備えて構成されている。前記閾値は、電圧値であり、各判定回路６又は７は、各スイッチ手段Ｓ１，Ｓ２からの交流電圧信号と閾値の電圧値とを比較して、Ｓ１，Ｓ２のＯＮ−ＯＦＦを判定する。遠隔制御用交流電源３とスイッチ手段Ｓ１，Ｓ２とから、遠隔制御部１１を構成している。
【００２２】
３芯ケーブル５は、制御用ケーブルでＣＶＶケーブル（制御用ビニル絶縁ビニルシースケーブル）を用いているが、ＣＶケーブル（架橋ポリエチレン絶縁ビニルシースケーブル）や、ＶＶＲケーブル（６００Ｖビニル絶縁ビニルシースケーブル）や、同等のケーブルでもよい。
【００２３】
３芯ケーブル５の芯線ａ，ｂ間、芯線ｂ，ｃ間、芯線ａ，ｃ間（図１１）に存在する浮遊容量Ｃ１，Ｃ１，Ｃ１（いずれも同一の浮遊容量）により発生する浮遊電圧が判定回路６，７の閾値を超えることがないように浮遊容量Ｃ１，Ｃ１，Ｃ１を直流充電するための整流ダイオードＤ１，Ｄ２を備えている。整流ダイオードＤ１，Ｄ２によって、浮遊容量Ｃ１，Ｃ１，Ｃ１を直流充電することによって、スイッチ手段Ｓ１，Ｓ２がＯＦＦ状態の時に、制御信号判定回路部４の入力部に浮遊容量Ｃ１，Ｃ１，Ｃ１に起因する電圧が発生することがない。よって、判定回路６，７の閾値（電圧値）を０Ｖに設定することができる。
【００２４】
また、整流ダイオードＤ１，Ｄ２に直列に、電流制限抵抗Ｒ１，Ｒ２を設けて、スイッチ手段Ｓ１，Ｓ２がＯＮした際の短絡電流を制限するようにしている。このように、短絡電流を制限する電流制限抵抗Ｒ１，Ｒ２を備えることによって、スイッチ手段Ｓ１，Ｓ２がＯＮして導通状態となった閉回路が短絡状態になることがなく、回路に備える電子素子（例えばダイオードＤ１，Ｄ２）の損傷を回避することができる。各電流制限抵抗Ｒ１又はＲ２の抵抗値は、ダイオードＤ１、Ｄ２を損傷させない程度の短絡電流に抑制する値のものを用いる。図２（ａ）では、芯線ａに接続されるダイオードＤ１、電流制限抵抗Ｒ１、判定回路６を省略している。
【００２５】
スイッチ手段Ｓ１，Ｓ２は、トグルスイッチ、タンブラスイッチ、プッシュスイッチ等の手動式の操作スイッチの他、電磁開閉器やリレー、トライアックのような半導体素子等でもよい。
【００２６】
判定回路６，７は、共に同一構成であり、具体的な３つの構成を図６（ａ），（ｂ）,（c）に示している。本発明の構成は、図６（ａ），（ｂ）,（c）いずれの構成でもよい。まず、図６（ａ）は、フォトカプラＰＨである。このフォトカプラＰＨは、発光素子と受光素子とを備えている。発光素子は、入力側に電圧（A＞K）を加えて発光素子に電流を流すことでその電流を光に変換し、その光を受光素子で受け取り、トランジスタをONさせて出力側に電流を流す。発光素子は一般的に１Ｖ前後の入力電圧で発光する為、本発
明で構成される回路電圧（１００数十Ｖ以上）においては判定閾値がほぼ０Ｖとみなせる
。これより、スイッチ手段Ｓ１又はＳ２がＯＮ状態すなわち判定回路入力側に電圧が加わったときには、判定回路はスイッチ手段がＯＮ状態であると判断し、その信号を点灯状態指示出力回路８に出力する。この点灯状態指示出力回路８から指示信号が点灯制御回路１０に出力されることによってＬＥＤモジュール２を点灯するようＬＥＤ点灯用電源９から電力を供給する。また、前記読み取った電圧値が閾値以下であると判断したときに、スイッチ手段Ｓ１又はＳ２がＯＦＦ状態であると判断し、その信号は点灯状態指示出力回路８へ出力されない。
【００２７】
図６（ｂ）は、フォトカプラＰＨと、フォトカプラＰＨよりも入力側に直列に接続されたツェナーダイオードＺＤを備えた判定回路６，７を示している。図２（ａ）の回路では、スイッチＳ１又はＳ２がＯＦＦのときに、芯線ｂ，ｃ間に現れる電圧Ｖ１が０Ｖであるため、図６（ａ）の判定回路６，７を使用できるのであるが、後述する回路（図３（ａ）、図４（ａ）、図５（ａ）に示す回路）では、芯線ｂ，ｃ間に現れる電圧Ｖ１が０Ｖを超えてしまうため、図６（ｂ）に示すように、フォトカプラＰＨの入力側にツェナーダイオードＺＤを備えてツェナー電圧の分だけ閾値を上げることで判定回路６，７の検出を良好に行えるようにしている。  
【００２８】
詳述すれば、図２（ａ）に示す回路は、浮遊電圧を０Ｖにしているため、閾値を０Ｖにした判定回路６，７でスイッチ手段Ｓ１又はＳ２がＯＮ状態であるかＯＦＦ状態であるかを判定することができる回路である。これに対して、図３（ａ）、図４（ａ）、図５（ａ）に示す回路は、ある程度の大きさの浮遊電圧を発生させた上で、この浮遊電圧が予め設定されている所定電圧以上になった場合に、スイッチ手段Ｓ１又はＳ２がＯＮ状態であると判定する回路である。そのため、図６（ｂ）に示すように、ツェナーダイオードＺＤを備えている。図３（a）、図４（a）、図５（a）では、交流電源の交流電圧が負となるときに、充電された浮遊容量の所定量を放電させる回路構成となっており、放電された所定量の電荷分は、再度交流電圧が正となる時に充電され、この充電時に浮遊電圧として発生する。そのため、判定回路６，７の閾値を交流電圧と浮遊電圧との間に設定するために、ツェナーダイオードＺＤが設けられ、そのツェナーダイオードＺＤのツェナー電圧は、交流電源電圧と浮遊電圧との間に設定される。
【００２９】
図６（c）は図６（b）にＲ３を追加した回路構成である。Ｒ３は判定回路６，７の入力側に直列に接続される放電抵抗Ｒ２と共に判定回路６，７に入力される電圧を分圧（Ｒ３／（Ｒ２＋Ｒ３）倍）させている。この場合、判定回路６，７の閾値は、Ｖin×Ｒ３／（Ｒ２＋Ｒ３）とＶ１×Ｒ３／（Ｒ２＋Ｒ３）の間に設定されることによって、判定回路６，７の検出を良好に行える。
【００３０】
図２（ａ）に示した回路において第１段目のスイッチ手段Ｓ１をＯＮしたときに、芯線ｂ，ｃ間に現れる電圧Ｖ１の波形をオシロスコープにて計測した。その計測した波形を図２（ｂ）に示している。尚、１ｋｍの３芯ケーブル（ＣＶＶケーブル）５を配線した時のＣ１の値が０．０６４μＦで入力交流電圧Ｖｉｎが２００Ｖ（５０Ｈｚ）としている。図２（ｂ）には、入力交流電圧Ｖｉｎの最大値＝実効値×√２＝２００Ｖ×√２＝約２８２Ｖが示されている。この入力交流電圧Ｖｉｎに対して芯線ｂ，ｃ間に現れる電圧が０であるため、Ｖ１の電圧が０になっている。このとき、一方の第１判定回路６の入力部に電流が流れて前述したように第１判定回路６が、一方のスイッチ手段Ｓ１がＯＮ状態であると判定する。また、他方のスイッチ手段Ｓ２がＯＦＦであるため、他方の第２判定回路７の入力部には、電流が流れない。そのため、閾値（電圧値０Ｖ）を超える電圧が発生しない。その結果、第２判定回路７は、スイッチ手段Ｓ２がＯＦＦ状態であると判定する。
【００３１】
前記とは逆に、第２段目のスイッチ手段Ｓ２をＯＮした場合には、他方の判定回路７の入力部に電流が流れて前述したように判定回路７はスイッチ手段Ｓ２がＯＮ状態であると判定する。他方のスイッチ手段Ｓ１がＯＦＦであるため、第１判定回路６の入力部には、電流が流れない。このため、閾値（電圧値０Ｖ）を超える電圧が発生しない。その結果、第１判定回路６が、スイッチ手段Ｓ１がＯＦＦ状態であると判定する。
【００３２】
＜第二実施形態＞
図３（ａ）に本発明の第二実施形態の回路を示している。第一実施形態では、ダイオードＤ２に直列に電流制限抵抗Ｒ２を設けた構成であったが、ダイオードＤ２と電流制限抵抗Ｒ２との直列回路に並列に第２の抵抗（放電抵抗）Ｒ２１を更に備えた回路としている。図３（ａ）では、芯線ａに接続されるダイオードＤ１、電流制限抵抗Ｒ１、判定回路６を省略している。
【００３３】
第２の抵抗Ｒ２１を設けることによって、スイッチ手段Ｓ１がＯＮの時に、交流電源３のプラス電圧が加わっている状態では、正の電流Ｉ１，Ｉ２が流れ、交流電源３のマイナス電圧が加わっている状態では、負の電流Ｉ３が流れる。このとき、正の電流Ｉ１，Ｉ２が流れたときに、入力交流電圧Ｖｉｎに対して芯線ｂ，ｃ間に現れる電圧Ｖ１の最大値が図３（ｂ）に示すように、約６０Ｖになっている。尚、電流制限抵抗Ｒ２の抵抗値が１００ｋΩで、抵抗Ｒ２１の抵抗値が４７０ｋΩである。この回路では、交流電源３のマイナス電圧が加わっている時にも電圧Ｖ１（６０Ｖ）が判定回路７に加わるため、判定回路７（判定回路６も同様）は、図６（ｂ）から構成することになる。
【００３４】
＜第三実施形態＞
図４（ａ）に本発明の第三実施形態の回路を示している。第一実施形態では、ダイオードＤ２に直列に電流制限抵抗Ｒ２を設けた構成であったが、ダイオードＤ２と電流制限抵抗Ｒ２との直列回路に、整流ダイオードＤ２１と第２の抵抗（放電抵抗）Ｒ２１の直列回路を並列に設けた回路としている。図４（ａ）では、芯線ａに接続されるダイオードＤ１、電流制限抵抗Ｒ１、判定回路６を省略している。
【００３５】
第２の抵抗Ｒ２１及び整流ダイオードＤ２１を設けることによって、スイッチ手段Ｓ１がＯＮの時に、交流電源３のプラス電圧が加わっている状態では、正の電流Ｉ１が流れ、交流電源３のマイナス電圧が加わっている状態では、負の電流Ｉ３が流れる。このとき、正の電流Ｉ１が流れたときに、入力交流電圧Ｖｉｎに対して芯線ｂ，ｃ間に現れる電圧Ｖ１の最大値が図４（ｂ）に示すように、約６０Ｖになっている。尚、電流制限抵抗Ｒ２の抵抗値が１００ｋΩで、抵抗Ｒ２１の抵抗値が４７０ｋΩである。この回路では、交流電源３のマイナス電圧が加わっている時にも電圧Ｖ１（６０Ｖ）が判定回路７に加わるため、判定回路７（判定回路６も同様）は、図６（ｂ）から構成することになる。
【００３６】
＜第四実施形態＞
図５（ａ）に本発明の第三実施形態の回路を示している。第一実施形態では、ダイオードＤ２に直列に電流制限抵抗Ｒ２を設けた構成であったが、ダイオードＤ２と電流制限抵抗Ｒ２との直列回路と、ダイオードＤ２に第２の抵抗（放電抵抗）Ｒ２２を並列に設けた回路としている。図５（ａ）では、芯線ａに接続されるダイオードＤ１、電流制限抵抗Ｒ１、判定回路６を省略している。
【００３７】
第２の抵抗Ｒ２２を設けることによって、スイッチ手段Ｓ１がＯＮの時に、交流電源３のプラス電圧が加わっている状態では、正の電流Ｉ１が流れ、交流電源３のマイナス電圧が加わっている状態では、負の電流Ｉ４が流れる。このとき、正の電流Ｉ１が流れたときに、入力交流電圧Ｖｉｎに対して芯線ｂ，ｃ間に現れる電圧の最大値が図５（ｂ）に示すように、約６０Ｖになり、負の電流Ｉ４が流れたときに、入力交流電圧Ｖｉｎに対して芯線ｂ，ｃ間に現れる電圧Ｖ１の最大値が図５（ｂ）に示すように、約−４０Ｖになっている。尚、電流制限抵抗Ｒ２の抵抗値が１００ｋΩで、抵抗Ｒ２２の抵抗値が４７０ｋΩである。この回路では、交流電源３のマイナス電圧が加わっている時にも電圧Ｖ１（６０Ｖ）が判定回路７に加わるため、判定回路７（判定回路６も同様）は、図６（ｂ）から構成することになる。
【００３８】
このように図２の回路では、スイッチ手段Ｓ１がＯＮの時に芯線ｂ，ｃ間に現れる電圧が０Ｖとなり、最適であるが、図３〜図５の回路においても芯線ｂ，ｃ間に現れる電圧の最大の電圧値を約６０Ｖに抑えることができる。放電抵抗Ｒ２１，Ｒ２２を備えることによって、直流充電された浮遊容量の所定量を確実に放電させることができる。また、浮遊電圧が閾値（例えば６０Ｖ）を超えないように放電抵抗Ｒ２１，Ｒ２２の抵抗値と電流制限抵抗Ｒ２の抵抗値とを設定していることによって、判定回路６，７が各スイッチ手段Ｓ１，Ｓ２のＯＮ状態又はＯＦＦ状態を誤判定することがない。
【００３９】
尚、本発明は、前記実施形態に限定されるものではなく、本発明の要旨を逸脱しない範囲で種々の変更が可能である。
【００４０】
前記第一〜第四実施形態では３芯ケーブルを示したが、本発明は４芯ケーブル以上の多芯ケーブルにも適用することができる。例えば図７（ａ）に、４芯ケーブル１０の断面図を示し、芯線ａ，ｂ間、芯線ｂ，ｃ間、芯線ｃ，ｄ間、芯線ａ，ｄ間が同一の浮遊容量Ｃ１を有し、芯線ａ，ｃ間、芯線ｂ，ｄ間が同一の浮遊容量Ｃ２を有している。図７（ｂ）では、第１段目のスイッチ手段Ｓ１がＯＮ状態になっている状態の回路図を示し、この状態において、芯線ｂ，ｄ間に現れる電圧波形をオシロスコープにて計測し、その計測した波形を図７（ｃ）に示している。尚、１ｋｍの４芯ケーブル（ＣＶＶケーブル）５を配線した時のＣ１の値が０．０７３μＦで、Ｃ２の値が０．０２３μＦで入力交流電圧Ｖｉｎを２００Ｖ（５０Ｈｚ）にしている。図７（ｃ）に示すように、入力交流電圧Ｖｉｎの最大値＝実効値×√２＝２００Ｖ×√２＝約２８２Ｖが示されている。この入力交流電圧Ｖｉｎに対して芯線ｂ，ｄ間に現れる電圧の最大値が±２４０Ｖになっている。この±２４０Ｖが浮遊容量により発生する浮遊電圧である。
【００４１】
また、図８（ａ）では図７（ｂ）と同一回路において第２段目のスイッチ手段Ｓ２をＯＮしたときに、芯線ｃ，ｄ間に現れる電圧波形をオシロスコープにて計測し、その計測した波形を図８（ｂ）に示している。他の条件は、図７で示した値と同じである。図８（ｂ）では、芯線ｃ，ｄ間に現れる電圧の最大値が±１４０Ｖになっている。この±１４０Ｖが浮遊容量により発生する浮遊電圧である。
【００４２】
また、図９（ａ）では図７（ｂ）と同一回路において第１段目のスイッチ手段Ｓ１と第２段目のスイッチ手段Ｓ２とをＯＮしたときに、芯線ｃ，ｄ間に現れる電圧波形をオシロスコープにて計測し、その計測した波形を図９（ｂ）に示している。他の条件は、図７で示した値と同じである。図９（ｂ）では、芯線ｃ，ｄ間に現れる電圧の最大値が±１６０Ｖになっている。この±１６０Ｖが浮遊容量により発生する浮遊電圧である。
【００４３】
また、図１０（ａ）では図７（ｂ）と同一回路において第１段目のスイッチ手段Ｓ１と第３段目のスイッチ手段Ｓ３とをＯＮしたときに、芯線ｂ，ｄ間に現れる電圧波形をオシロスコープにて計測し、その計測した波形を図１０（ｂ）に示している。他の条件は、図７で示した値と同じである。図１０（ｂ）では、芯線ｂ，ｄ間に現れる電圧の最大値が±２４０Ｖになっている。この±２４０Ｖが浮遊容量により発生する浮遊電圧である。
【００４４】
図７〜図１０に示した４芯ケーブルで構成される回路において、図２（ａ）で示した整流ダイオードＤ２と電流制限抵抗Ｒ２との直列回路を３本のケーブルに接続しておけば、芯線ｃ，ｄ間に現れる前述した浮遊電圧を０Ｖにすることができる。
【００４５】
また、第一実施形態では、各芯線ａ又はｂ毎に判定回路６，７を設けたが、多芯ケーブルに対して共通（単一）の判定回路を設けて実施してもよい。また、複数の判定回路６，７に対して共通（単一）の点灯状態指示出力回路８を設けたが、各判定回路６又は７に対応するように判定回路と同数の点灯状態指示出力回路を設けて実施してもよい。
【００４６】
また、第一実施形態では、電流制限抵抗Ｒ１，Ｒ２を設けたが、省略してもよい。
【符号の説明】
【００４７】
１…遠隔制御装置、２…ＬＥＤモジュール、３…遠隔制御用交流電源、４…制御信号判定回路部、５…多芯ケーブル（３芯ケーブル）、６，７…判定回路、８…点灯状態指示出力回路、９…ＬＥＤ点灯用電源、１０…点灯制御回路、１１…遠隔制御部、１２…４芯ケーブル、Ｄ１，Ｄ２，Ｄ２１…整流ダイオード、ＰＨ…フォトカプラ、Ｒ１，Ｒ２…電流制限抵抗、Ｒ１，Ｒ３…分圧抵抗、Ｒ２１，Ｒ２２…放電抵抗、Ｓ１，Ｓ２，Ｓ３…スイッチ手段
【要約】
【課題】無駄な電力消費を抑制しながら、判定回路が誤判定することがないＬＥＤ点灯用電源の遠隔制御装置を提供する。
【解決手段】ＬＥＤモジュール２の点灯制御回路１０を備えたＬＥＤ点灯用電源９と、点灯制御回路１０へ点灯状態指示信号を出力する制御信号判定回路部４と、遠隔制御用交流電源３からの電圧信号の供給及び遮断を行うためにＯＮ−ＯＦＦする複数のスイッチ手段Ｓ１，Ｓ２と、多芯ケーブル５と、を備え、制御信号判定回路部４は、電圧信号と閾値とに基づいて各スイッチ手段Ｓ１，Ｓ２がＯＮ又はＯＦＦ状態であるかを判定する判定回路６，７と、判定回路６，７からの判定信号に基づいて点灯制御回路１０に点灯状態を指示する点灯状態指示出力回路８とを備え、多芯ケーブル５の芯線間に存在する浮遊電圧が閾値を超えることがないように浮遊容量を直流充電するための整流ダイオードＤ１，Ｄ２を備えた。
【選択図】図１【図１】
0005674983.tif 000002
【図２】
0005674983.tif 000003
【図３】
0005674983.tif 000004
【図４】
0005674983.tif 000005
【図５】
0005674983.tif 000006
【図６】
0005674983.tif 000007
【図７】
0005674983.tif 000008
【図８】
0005674983.tif 000009
【図９】
0005674983.tif 000010
【図１０】
0005674983.tif 000011
【図１１】
0005674983.tif 000012